(57)【特許請求の範囲】
【請求項１】
基地局と、前記基地局と移動局との間で送受信されるデータを中継する中継局とを含む移動通信システムであって、
前記基地局は、
前記中継局を介して前記基地局と前記移動局との間で送受信されるデータの初送のスケジューリングを行う第１のスケジューラと、
前記データの初送に使用される無線リソースとして、周期的に使用される予め定められた無線リソースを管理する第１の管理部とを含み、
前記中継局は、
前記データの再送の要否を確認するためのメッセージの送信、及び前記データの再送のスケジューリングを行う第２のスケジューラと、
前記メッセージの送信及び前記データの再送に使用される無線リソースを管理する第２の管理部とを含む、
移動通信システム。
【請求項２】
中継局を介して基地局とデータを送受信する移動局であって、
前記基地局で管理され、周期的に使用される予め定められた無線リソースを用いた前記データの初送のスケジューリングに従って初送される前記データを送受信する送受信部と、
前記中継局で管理される無線リソースを用いた、前記データの再送の要否を確認するためのメッセージの送信及び前記データの再送のスケジューリングに従って、前記メッセージ及び再送される前記データを送受信するための制御を行う制御部と
を含む移動局。
【請求項３】
基地局と移動局との間で送受信されるデータを中継する中継局であって、
前記基地局で管理され、周期的に使用される予め定められた無線リソースを用いた前記データの初送のスケジューリングに従って初送される前記データを送受信する送受信部と、
自身が管理する無線リソースを用いた、前記データの再送の要否を判定するためのメッセージの送信及び前記データの再送のスケジューリングに従って、前記メッセージの送信及び前記データの再送を制御する制御部とを含み、
前記制御部は、前記基地局と前記移動局との一方から受信される前記メッセージの他方への中継を禁止する
中継局。
【請求項４】
前記中継局は、前記移動局から受信される、再送された前記データの受信成功を示すメッセージを前記基地局へ中継することを禁止する
請求項１に記載の移動通信システム。
【請求項５】
前記周期的に使用される予め定められた無線リソースは、ＬＴＥ（Long Term Evolution）におけるSemi-persistent Schedulingに従って使用される無線リソースである
請求項１に記載の移動通信システム。
【請求項６】
基地局と、前記基地局と移動局との間で送受信されるデータを中継する中継局とを含む移動通信システムにおけるスケジューリング方法であって、
前記基地局が、前記基地局で管理され、周期的に使用される予め定められた無線リソースを用いた、前記データの初送のスケジューリングを行い、
前記中継局が、前記中継局で管理された無線リソースを用いた、前記データの再送の要否を確認するメッセージの送信及び前記データの再送のスケジューリングを行う
ことを含む移動通信システムのスケジューリング方法。
【請求項７】
中継局を介して基地局とデータを送受信する移動局のデータ送受信方法であって、
前記基地局で管理され、周期的に使用される予め定められた無線リソースを用いた前記データの初送のスケジューリングに従って初送される前記データを送受信し、
前記中継局で管理される無線リソースを用いた、前記データの再送の要否を確認するためのメッセージの送信及び前記データの再送のスケジューリングに従って、前記メッセージ及び再送される前記データを送受信する
移動局のデータ送受信方法。
【請求項８】
基地局と移動局との間で送受信されるデータを中継する中継局のデータ送受信方法であって、
前記基地局で管理され、周期的に使用される予め定められた無線リソースを用いた前記データの初送のスケジューリングに従って初送される前記データを送受信し、
自身が管理する無線リソースを用いた、前記データの再送の要否を判定するためのメッセージの送信及び前記データの再送のスケジューリングに従って、前記メッセージの送信及び前記データの再送を行い、
前記基地局と前記移動局との一方から受信される前記メッセージの他方への中継を禁止する
中継局のデータ送受信方法。
【請求項９】
前記中継局は、前記移動局から受信される、再送された前記データの受信成功を示すメッセージを前記基地局へ中継することを禁止する
請求項６に記載の移動通信システムのスケジューリング方法。
【請求項１０】
前記周期的に使用される予め定められた無線リソースは、ＬＴＥ（Long Term Evolution）におけるSemi-persistent Schedulingに従って使用される無線リソースである
請求項６に記載の移動通信システムのスケジューリング方法。
【発明の詳細な説明】
【技術分野】
【０００１】
本発明は、移動通信システムに関する。
【背景技術】
【０００２】
セルラ型の移動通信は、ＵＭＴＳ（Universal Mobile Telecommunication System）か
らＬＴＥ（Long Term Evolution）に進化した。ＬＴＥでは、無線アクセス技術としてＯ
ＦＤＭ（Orthogonal Frequency Division Multiplexing）をベースとした方式が規定されている。ＬＴＥによれば、下りのピーク伝送レートは１００Ｍｂｐｓ以上、上りのピーク伝送レートは５０Ｍｂｐｓ以上の高速無線パケット通信が可能となる。
【０００３】
現在、国際標準化団体である３ＧＰＰ（3rd Generation Partnership Project）では、さらなる高速通信の実現にむけて、ＬＴＥをベースとした移動通信システムＬＴＥ−Ａ（LTE-Advanced）の検討が始めている。ＬＴＥ−Ａでは、下りのピーク伝送レートは１Ｇｂｐｓ、上りのピーク伝送レートは５００Ｍｂｐｓを目指しており、無線アクセス方式やネットワークアーキテクチャなど、様々な新技術の検討が行われている（例えば、非特許文献１）。一方で、ＬＴＥ−ＡはＬＴＥをベースとしたシステムとなるため、ＬＴＥとの互換性を保つことが要求される。
【０００４】
高速データ通信を行う方法の一つとして、基地局と移動局の通信をサポートするために、中継局を導入する方法が検討されている。中継局は、従来の基地局と移動局間の間に介在し、高速データ通信をサポートするために設置される。中継局として、例えば、無線信号（データ信号と雑音）を増幅するだけの中継局（リピータ方式）、無線信号の中からデータ信号だけを増幅することが可能となる中継局（デコード＆フォワード方式）、レイヤ２（Ｌ２：（MAC（Media Access Control）レイヤなど））の機能を実装した中継局（Ｌ
２中継局）、及びレイヤ３（Ｌ３（RRC(Radio Resource Control)レイヤ））の機能を実
装し、基地局と同等の機能を持つ局として振る舞う中継局（Ｌ３方式）が検討されている。
【０００５】
なお、中継局をセルに展開する方法も検討されている。例えば、セル端のスループットを増加させることを目的としてセル端に設置する展開方法や、電波が到達しない範囲（不感地帯）に中継局を展開する方法などが検討されている。
【先行技術文献】
【非特許文献】
【０００６】
【非特許文献１】3GPP TR 36.913, "Requirements for further advancements for Evolved UniversaＬＴＥrrestrial Radio Access (E-UTRA) (ＬＴＥ-Advanced)", V8.0.1, Release 8, May 2009.
【発明の概要】
【発明が解決しようとする課題】
【０００７】
中継局を介したデータ通信では、従来の基地局と移動局とのデータ通信に対し、中継局が関わる。このため、中継局が考慮されたデータ送信のスケジューリングのために検討すべき事項として、無線リソースの管理方法と、ＨＡＲＱ（Hybrid Automatic Repeat Request）の制御方法とが挙げられる。ここに、ＨＡＲＱは、受信側で復号失敗データが破棄
されずに再送データと組み合わせて復号されることを考慮した上で再送パターンを決定す
る、データの再送方式である。
【０００８】
スケジューリングの実行場所という観点において、スケジューリングは、Centralized Scheduling（集中型スケジューリング）およびDistributed Scheduling（分配型スケジューリング）という二つの方式に大別される。Centralized Schedulingでは、中継局を制御する基地局が、基地局配下の移動局および中継局配下の移動局に関するデータ送信のスケジューリングを実行する。一方、Distributed Schedulingでは、中継局を制御する基地局は基地局自身に接続している移動局に関するデータ送信のスケジューリングのみを実行し、中継局は自身に接続している移動局に関するデータ送信のスケジューリングのみを実行する。
【０００９】
無線リソースの管理方法について、ＬＴＥでは無線リソースの管理は基地局のＲＲＣレイヤで制御される。これに対し、ＬＴＥ−Ａでは中継局も通信に関わる。このため、無線リソースの管理場所や管理方法が検討される。ＬＴＥ−Ａでは、基地局のセル内に、１以上の基地局と同等の機能を有するＬ３方式の中継局を設置することができる。ここで、中継局を制御する基地局は、ドナー基地局（Donor eNB）と呼ばれる。ドナー基地局と中継
局とは、ＲＲＣレイヤでの交信が可能である。このため、ＲＲＣレイヤ間で無線リソースの管理を協調して行うことによって、効率的な無線リソース管理を実施することができる。
【００１０】
また、スケジューリングの無線リソース管理方法としては、Dynamic Scheduling（動的スケジューリング）およびSemi-persistent Scheduling（SPS：準永続的スケジューリン
グ）がある。Dynamic Schedulingは、web閲覧のようなノンリアルタイム型の通信で使わ
れる。Dynamic Scheduling では、上り（アップリンク）及び下り（ダウンリンク）通信
の双方において、ＰＤＣＣＨ（Physical Downlink Control Channel）で利用している無
線リソースが指定される。これに対し、Semi-persistent Scheduling(ＳＰＳ)は、VoIP（Voice over IP）に代表されるリアルタイム型の通信で使われる。ＳＰＳでは、通信が実
際に実行される前から、或る定められた期間、無線リソースが固定的に割り当てられる。例えば、ＶｏＩＰ通信では、２０ｍｓ毎にデータの初送が発生する。このため、２０ｍｓ毎に利用すべき無線リソースが通知される。但し、データの再送が実行される場合には、Dynamic Schedulingが使用される。
【００１１】
HARQの制御方法としては、以下の述べる制御方式がある。ＬＴＥでは、下り通信に対してAsynchronous HARQ方式（非同期ＨＡＲＱ方式）が採用され、上り通信に対してSynchronous HARQ方式（同期ＨＡＲＱ方式）が採用されている。
【００１２】
ＬＴＥ−Ａでは、ＬＴＥとの互換性を保つため、少なくともＬＴＥの移動局に対し、上記した非同期ＨＡＲＱ方式及び同期ＨＡＲＱ方式をサポートすることが要求される。
【００１３】
非同期ＨＡＲＱ方式は、下り送信に対する確認応答（ＡＣＫ又はＮＡＣＫ）は４ｍｓ後に受信し、もし確認応答がＮＡＣＫであれば下り再送は自由なタイミングで実行する方法である。非同期ＨＡＲＱ方式では、基地局は必ずＰＤＣＣＨを用いてデータの送信を移動局に通知することが要求される。一方、非同期ＨＡＲＱ方式は、上り送信に対する確認応答は４ｍｓ後に受信し、もし確認応答がＮＡＣＫであれば上り再送はさらに４ｍｓ後に実行する、という方法である。非同期ＨＡＲＱ方式では、基地局はＰＤＣＣＨによりデータの送信を移動局に通知ことは要求されない。言い換えれば、移動局はＰＤＣＣＨによる通知を受信することなくデータを再送することができる。このように、非同期ＨＡＲＱ方式では、ＰＤＣＣＨがなくてもデータ再送が可能であり、シグナリングオーバヘッドを軽減することができる。
【００１４】
ＬＴＥ−Ａにおいて、基地局と移動局のデータ通信に中継局が関わる場合には、中継局におけるデータの処理時間が発生する。このため、上述したような、同期ＨＡＲＱ方式、或いは非同期ＨＡＲＱ方式で規定されたタイミングを維持する方法の開発が望まれていた。すなわち、移動局と基地局との間に中継局が介在することで、ＬＴＥで規定された同期ＨＡＲＱ方式や非同期ＨＡＲＱ方式との互換性を維持できなくなる場合があった。
【００１５】
図２０は、上り通信（アップリンク通信）におけるＨＡＲＱタイミングの例を示す図である。図２０には、移動局（ＵＥ：User Equipment）から中継局（ＲＮ：Relay Node）を介してドナー基地局（DeNB）へデータが送信される場合の例が示されている。
【００１６】
図２０に示す例では、ＳＰＳにより、移動局（ＵＥ）及び中継局（ＲＮ）がデータ送信に利用する無線リソース（送信タイミング）は予め決められている。図２０に示す例では、ＵＥは、ＳＰＳに従ったタイミング、すなわち移動局−中継局間におけるサブフレーム番号“０”（１サブフレームは１ｍｓ）において、中継局に対してデータ（データ１）を送信する。
【００１７】
中継局は、ＳＰＳに従ったタイミング、すなわち中継局−ドナー基地局間におけるサブフレーム番号“８”で、移動局からのデータ１をドナー基地局へ中継する。ドナー基地局は、同期ＨＡＲＱ方式に従って、サブフレーム番号“８”より４ｍｓ後のサブフレーム番号“１２”で確認応答（ＡＣＫ又はＮＡＣＫ）を中継局に返す。このとき、ドナー基地局は、データ１の復号（正常受信）に失敗した場合には、失敗を示すＮＡＣＫ（HARQ NACK
）メッセージを、同期ＨＡＲＱ方式に従い、サブフレーム番号"１２"で中継局に返す。
【００１８】
中継局は、同期ＨＡＲＱ方式に従って、サブフレーム番号“１２”の４ｍｓ後に相当する移動局−中継局間のサブフレーム番号“１２”で、HARQ NACKメッセージを移動局に転
送する。従って、移動局は、サブフレーム番号"１２"で、データ１に対するHARQ NACKメ
ッセージを受信する。そして、移動局は、同期ＨＡＲＱ方式に従って、４ｍｓ後のサブフレーム番号"１６"で、データ１を再送する。
【００１９】
ところが、ＬＴＥにおける同期ＨＡＲＱ方式に従えば、ドナー基地局からのHARQ NACK
メッセージ（HARQ feedback）は、サブフレーム番号"０"から４ｍｓ後のサブフレーム番
号"４"で受信すべきものである。そして、移動局からのデータ１の再送は、サブフレーム番号"４"から４ｍｓ経過後のサブフレーム番号"８"にて行われるものである。このように、中継局が介在した場合には、ＬＴＥの同期ＨＡＲＱ方式と互換性のない動作となってしまう問題があった。
【００２０】
図２１は、下り通信（ダウンリンク通信）におけるＨＡＲＱタイミングの例を示す図である。図２１には、ドナー基地局（DeNB）から中継局（ＲＮ：Relay Node）を介して移動局（ＵＥ：User Equipment）へデータが送信される場合の例が示されている。図２１に示す例では、ドナー基地局は、ＳＰＳに従って、１０サブフレーム毎に、移動局向けのデータを送信する。例えば、中継局−基地局間のサブフレーム番号"０"で、ドナー基地局からのデータ（データ１）が中継局に送信される。中継局は、４ｍｓ経過後のサブフレーム番号“４”（移動局−中継局間のサブフレーム番号“０”）で、データ１を移動局に転送する。
【００２１】
移動局は、非同期ＨＡＲＱ方式に従って、サブフレーム番号“０”から４ｍｓ後のサブフレーム番号“４”で確認応答（ＡＣＫ又はＮＡＣＫ）を中継局に返す。このとき、データ１の復号（正常受信）に失敗したならば、ＮＡＣＫ（HARQ NACK）メッセージが返信さ
れる。
【００２２】
中継局は、非同期ＨＡＲＱ方式に従って、４ｍｓ経過後のサブフレーム番号“１２”（中継局−ドナー基地局間）で、ＮＡＣＫメッセージをドナー基地局に返す。ドナー基地局は、非同期ＨＡＲＱ方式にしたがって、自由なタイミング、例えば、図２１に示すようなサブフレーム番号“１６”で中継局にデータ１を再送する。中継局は、４ｍｓ経過後に移動局にデータ１を再送中継する。
【００２３】
このように、中継局が介在する場合には、下り通信においても、ドナー基地局は、非同期ＨＡＲＱ方式に従ったタイミング（本来の受信タイミングはサブフレーム番号“４”）で確認応答を受信することができなかった。
【００２４】
本発明の一態様は、上記問題に鑑みなされたものであり、移動局と基地局との通信に中継局が介在する場合においても、適正な再送手順を実行することのできる技術を提供することを目的とする。
【課題を解決するための手段】
【００２５】
本発明の一態様は、基地局と、当該基地局と移動局との間で送受信されるデータを中継する中継局とを含む移動通信システムであって、上記基地局は、上記中継局を介して基地局と移動局との間で送受信される上記データの初送のスケジューリングを行う第１のスケジューラと、上記データの初送に使用される無線リソースとして、周期的に使用される予め定められた無線リソースを管理する第１管理部とを含み、上記中継局は、上記データの再送の要否を確認するためのメッセージの送信、及び上記データの再送のスケジューリングを行う第２のスケジューラと、上記メッセージの送信及び上記データの再送に使用される無線リソースを管理する第２の管理部と、を含む。
【発明の効果】
【００２６】
本発明の一態様によれば、移動局と基地局との通信に中継局が介在する場合においても、適正な再送手順を実行することができる。
【図面の簡単な説明】
【００２７】
【図１】図１は、本発明の実施形態に係る移動通信システムの構成例を示す。
【図２】図２は、基地局−中継局間インタフェース（Ｕｎインタフェース）及び中継局−移動局間インタフェース（Ｕｕインタフェース）の説明図である。
【図３】図３は、実施形態における上り通信（アップリンク通信）におけるＨＡＲＱタイミングの例を示す図である。
【図４】図４は、実施形態における下り通信（ダウンリンク通信）でのＨＡＲＱタイミングの例を示す図である。
【図５】図５は、実施形態における基地局１０のＵｕインタフェースの無線リソース設定手順の例を示す。
【図６】図６は、RadioResourceConfigDedicatedメッセージのフォーマット例を示す。
【図７】図７は、sps-Configのフォーマット例を示す。
【図８】図８は、基地局装置の構成例を示す。
【図９】図９は、図５において説明した中継局のセットアップ時における基地局装置の動作例を示すフローチャートである。
【図１０】図１０は、図３において説明した上りＳＰＳ通信時における基地局装置の動作例（上りＳＰＳ通信処理）を示すフローチャートである。
【図１１】図１１は、図４において説明した下りＳＰＳ通信時における基地局装置の動作例（下りＳＰＳ通信処理）を示すフローチャートである。
【図１２】図１２は、中継局装置の構成例を示す図である。
【図１３】図１３は、中継局装置のセットアップ時における動作例（セットアップ処理）を示すフローチャートである。
【図１４】図１４は、中継局装置の上りＳＰＳ通信時における動作例（上り通信処理）を示すフローチャートである。
【図１５】図１５は、中継局装置の下りＳＰＳ通信時における動作例（下り通信処理）を示すフローチャートである。
【図１６】図１６は、移動局装置の構成例を示す図である。
【図１７】図１７は、中継局のセットアップ時における移動局装置の動作例（セットアップ処理）を示すフローチャートである。
【図１８】図１８は、移動局装置の上りＳＰＳ通信時における動作例（上りＳＰＳ通信処理）を示すフローチャートである。
【図１９】図１９は、移動局装置の下りＳＰＳ通信時における動作例（下りＳＰＳ通信処理）を示すフローチャートである。
【図２０】図２０は、中継局が介在した場合における上りＳＰＳ通信の例を示す。
【図２１】図２１は、中継局が介在した場合における下りＳＰＳ通信の例を示す。
【発明を実施するための形態】
【００２８】
以下、図面を参照して本発明の実施形態について説明する。実施形態における構成は例示であり、本発明は実施形態の構成に限定されない。
【００２９】
＜移動通信システム＞
図１は、本発明の実施形態に係る移動通信システムの構成例を示す。図１において、移動通信システムは、ドナー基地局（ＤｅＮＢ）１０（以下、単に「基地局１０」と表記）と、基地局１０によって制御される１以上の中継局（ＲＮ）２０とを備える。図１に示す例では、３つの中継局２０Ａ，２０Ｂ，２０Ｃ（以下、中継局２０Ａ〜２０Ｃを区別しない場合には、「中継局２０」と表記）が示されているが、中継局２０の設置数は任意である。
【００３０】
中継局２０は、基地局１０の通信範囲（セル）Ｃ１内の適宜の位置に設置される。中継局２０Ａ，２０Ｂ，２０Ｃのそれぞれは、通信範囲（セル）Ｃ２，Ｃ３，Ｃ４を有し、セル内に在圏する移動局（ＵＥ）３０と通信し、移動局３０と基地局１０との通信を中継することができる。図１に示す例では、中継局２０ＡのセルＣ２に在圏する移動局３０Ａと、中継局２０ＢのセルＣ３に在圏する移動局３０Ｂと、中継局２０ＣのセルＣ４に在圏する移動局３０Ｃとが例示されている。以下、移動局３０Ａ〜３０Ｃを区別しない場合には、「移動局３０」と表記する。移動局３０は、ＬＴＥをサポートする。
【００３１】
中継局２０は、Ｌ３（ＲＲＣ（Radio Resource Control）プロトコル））機能を実装した中継局（Ｌ３中継局）である。このような中継局２０のセル（Ｃ２〜Ｃ４）は、移動局３０から見て基地局１０のセルＣ１から独立したセルのように見える。したがって、ＬＴＥをサポートする移動局３０から見て、中継局２０は、一つの基地局のように見える。
【００３２】
すなわち、実施形態では、図２に示すように、基地局１０と中継局２０との間は、網側Ｕｎインタフェースで接続され、中継局２０と移動局３０とはユーザ側Ｕｕインタフェースで接続される。
【００３３】
本実施形態では、データの初送のスケジューリング（初送データの送受信タイミング）及び初送に関わるＵｎインタフェース（基地局−中継局間）の無線リソースは、基地局１０が管理する。中継局２０は、基地局１０で管理される初送のスケジューリングに従って、Ｕｕインタフェース（中継局−移動局間）の無線リソースを移動局３０に割り当てる。さらに、中継局２０は、データの再送のためのスケジューリング（確認応答メッセージ、再送データの送受信タイミング）及びデータ再送に関わる無線リソースを管理する。
【００３４】
＜上り通信＞
基地局１０がデータ送受信のスケジューリングに関わらないDistribute Schedulingで
は、ＳＰＳ（Semi-persistent Scheduling）が実施される場合に効率が悪くなる。ＳＰＳでは、或る定められた期間、割り当てられた無線リソースが中長期的に使い続けられる。この場合、移動局３０の通信位置によっては、基地局１０と中継局２０との間で干渉が発生し、かつ、干渉が或る一定期間、中長期的に継続する可能性がある。
【００３５】
例えば、基地局１０と中継局２０とが独立に移動局３０に対する無線リソースがスケジューリングされた結果、中継局２０に接続している移動局３０と、基地局１０に接続している他の移動局３０との夫々に対し、同一の無線リソース（周波数及び時間軸）が割り当てられ、各移動局が上り送信を実行する場合が起こり得る。この場合、各移動局３０から発せられる電波は、相互に干渉波となる。ここで、各移動局３０が使用する無線リソースがＳＰＳによって割り当てられたものであると、各移動局は中長期的に当該無線リソースを使用し続けるため、中長期的な干渉が継続され、各移動局３０の通信効率が劣化する可能性があった。
【００３６】
そこで、本実施形態では、ＳＰＳが実行される場合には、ＳＰＳに従ってデータの初送のために使用される無線リソースは基地局１０が管理し、ＳＰＳに従ってデータの再送のために使用される無線リソースは中継局２０で管理する。
【００３７】
図３は、本実施形態における上り通信（アップリンク通信）におけるＨＡＲＱタイミングの例を示す図である。図３には、移動局（ＵＥ）３０から中継局（ＲＮ）２０を介して基地局（DeNB）１０へデータが送信される場合の例が示されている。
【００３８】
図３に示す例では、基地局１０が実施するＳＰＳに従って、移動局３０から中継局２０を介して基地局１０へ送信されるデータの初送に使用される、基地局１０で管理されている無線リソースが、中継局２０及び移動局３０に割り当てられる。一方、上記データの再送のためのスケジューリングは中継局２０で実施され、中継局２０のスケジューリング結果に従って使用される無線リソースは、中継局２０によって管理され、移動局３０及び基地局１０に割り当てられる。
【００３９】
従って、移動局３０から基地局１０へ向かって送信される初送のデータは、基地局１０でのＳＰＳのスケジューリング結果、及び当該スケジューリング結果に従って割り当てられた無線リソースを用いて送受信される。
【００４０】
図３に示す例では、移動局３０は、ＳＰＳに従った送信タイミング、すなわち移動局−中継局間のＵｕインタフェースにおけるサブフレーム番号（送信タイミング）“０”（１サブフレームは１ｍｓ）において、中継局２０へデータ（データ１）を送信する。
【００４１】
中継局２０は、ＬＴＥで上り通信に対して適用される同期ＨＡＲＱ方式に従って移動局３０が４ｍｓ経過後に確認応答メッセージ（ＡＣＫ又はＮＡＣＫ）を受信できるように、サブフレーム番号“４”で確認応答メッセージを返信する。このとき、データ１の復号（正常受信）に失敗したならば、中継局２０は、HARQ NACKメッセージを移動局３０に返す
。
【００４２】
サブフレーム番号“４”でHARQ NACKメッセージを受信した移動局３０は、同期ＨＡＲ
Ｑ方式に従って中継局２０により実施されたスケジューリング及び無線リソース割り当てに従って、サブフレーム番号"４"から４ｍｓ経過後のサブフレーム番号"８"でデータ１を中継局２０に再送する。
【００４３】
中継局２０では、データ１の復号（正常受信）に成功すると、同期ＨＡＲＱ方式に従って、４ｍｓ経過後のサブフレーム番号“１２”で成功を示す確認応答、HARQ ACKメッセージを移動局３０に返信する。一方、中継局２０は、Ｕｕインタフェースのサブフレーム番号"１２"に対応するＵｎインタフェースのサブフレーム番号（送信タイミング）"１６"で、再送されたデータ１を基地局１０に送信する。基地局１０は、同期ＨＡＲＱ方式に従い、４ｍｓ後のサブフレーム番号"０"で、確認応答メッセージ（図３では、HARQ ACK）を中継局２０に返す。
【００４４】
このように、実施形態によれば、データの初送のためのスケジューリング及び無線リソースを基地局１０が管理するので、基地局１０は、複数の異なる移動局３０が同時に同一の無線リソース（周波数、時間軸）を使用しないように、各移動局３０の送信タイミング及び無線リソース割り当てを決定することができる。このような基地局１０による初送用の無線リソース割り当てが移動局３０毎に実施されることによって、移動局３０が同時に同一の無線リソースを使用することを回避することができる。よって、上述したような、ＳＰＳ設定によって複数の移動局３０が同一の無線リソースを中長期に亘って使用することで、干渉が中長期に亘って発生することを抑えることができ、通信効率低下を回避することができる。
【００４５】
また、本実施形態によれば、データの再送のためのスケジューリング及び無線リソースは、中継局２０によって管理される。これによって、データの再送のために送信される確認応答メッセージ、及び再送データを、所望のタイミングで送信することが可能となる。これによって、基地局１０と移動局３０との間に中継局２０が介在していても、移動局３０（ＬＴＥ端末）に対し、ＬＴＥでサポートされた同期ＨＡＲＱ方式に従った再送手順を実施させることができる。すなわち、ＬＴＥ端末である移動局３０に対して互換性（後方互換性）を維持することができる。
【００４６】
さらに、中継局２０が移動局３０に対して割り当てる再送用の無線リソースは、中継局２０のセルの通信環境を考慮して決定することができる。これにより、基地局１０と移動局３０との間に中継局２０が介在しても適正なデータ再送が実行されるようにすることができる。
【００４７】
＜下り通信＞
下り通信（ダウンリンク通信）の場合でも、上り通信にて適用した手法が適用される。すなわち、基地局１０は、データの初送に関わるスケジューリング（例えばＳＰＳ）を行うともに、初送用の無線リソースを管理する。一方、データの再送のためのスケジューリングは中継局２０で実施され、データの再送で使用される無線リソースは中継局２０が管理する。
【００４８】
図４は、実施形態における下り通信（ダウンリンク通信）でのＨＡＲＱタイミングの例を示す図である。図４には、基地局（DeNB）１０から中継局（ＲＮ）２０を介して移動局（ＵＥ）３０へデータが送信される場合の例が示されている。
【００４９】
図４に示す例では、基地局１０は、ＳＰＳに従って、１０サブフレーム毎に、移動局３０向けのデータを送信する。基地局１０は、基地局１０が割り当てた初送用の無線リソース、すなわち中継局−基地局間（Ｕｎインタフェース）のサブフレーム番号“０”で、データ（データ１）を中継局２０に送信する。中継局２０は、４ｍｓ経過後のサブフレーム番号“４”（移動局−中継局間のサブフレーム番号“０”）で、データ１を移動局３０に転送する。
【００５０】
移動局３０は、中継局２０で実施されたスケジューリングに従って非同期ＨＡＲＱ方式に応じた送信タイミング、すなわち、サブフレーム番号“０”から４ｍｓ後のサブフレーム番号“４”で確認応答（ＡＣＫ又はＮＡＣＫ）を中継局２０に返す。
【００５１】
図４の例では、データ１の受信失敗を示すＮＡＣＫメッセージが中継局２０に返信される。
【００５２】
すると、中継局２０は、非同期ＨＡＲＱ方式に従って、自由なタイミング、図４の例では、サブフレーム番号“８”で移動局３０にデータ１を再送する。
基地局１０は、サブフレーム番号“１０”で次のデータ（データ２）を中継局２０に送信する。中継局２０では、非同期ＨＡＲＱ方式に従って、４ｍｓ後に確認応答メッセージ（HARQ ACK）を送信するとともに、データ２を移動局３０へ送信する。
【００５３】
移動局３０は、非同期ＨＡＲＱ方式に従って、サブフレーム番号“１２”で再送データ１に対する確認応答メッセージ（ＡＣＫ）を、サブフレーム番号“１４”でデータ２に対する確認応答メッセージ（ＡＣＫ）を送信する。
【００５４】
以上の動作によれば、初送用の無線リソースが基地局１０で管理されることによって、上り通信と同様に、基地局１０と中継局２０とが同一の無線リソースを同時期に使用することによる、中長期的な干渉を避けることができる。一方、再送用の無線リソースが中継局２０で管理されることによって、HARQのタイミングに関して後方互換性を保てるようになる。すなわち、非同期ＨＡＲＱ方式に応じたHARQ feedback（確認応答メッセージ）を
基地局１０に返すことができる。
【００５５】
さらに、中継局２０の配下のセルの通信環境を考慮した上で、再送のための無線リソース割り当てが可能となる。
【００５６】
また、図４に示したように、中継局２０から移動局３０へのデータ１の再送が成功した場合には、移動局３０から中継局２０へ再送成功を示すHARQ ACKが返信される。但し、中継局２０は、HARQ ACKを受信しても、基地局１０にはHARQ ACKを中継しない。これによって、基地局１０が予期しないタイミングでHARQ feedback（確認応答メッセージ）が受信
されることを防止することができる。
【００５７】
さらに、図４に示したように、基地局１０は、データ１に対する受信成功の確認応答メッセージ（HARQ ACK）を受信した場合には、中継局２０と移動局３０との間でデータ再送が生じたか否かに拘わらず、データ１の移動局３０へのデータ送信が成功したものとして、次のデータ２を送信する。このようにしても、移動局３０と中継局２０との間で適正な再送手順が実施されることで、移動局３０はデータ１を受信することができる一方で、基地局１０は、予め決められたタイミングで確認応答メッセージを受信することができる。
【００５８】
＜協調制御の設定方法＞
ここまでの説明において、上り通信及び下り通信の夫々の場合における、基地局１０と中継局２０との無線リソース割り当ての協調制御に基づくＨＡＲＱの再送制御について説明した。次に、協調制御を実現するための方法について説明する。
【００５９】
本実施形態では、中継局２０のセットアップ時に、Ｕｕインタフェースの無線リソースを基地局１０が設定する方法を示す。
【００６０】
図５は、実施形態における基地局１０のＵｕインタフェースの無線リソース設定手順の例を示す。図５において、基地局１０及び中継局２０には、Application Part（AP：アプ
リケーション部）が実装されている。例えば、ＡＰとしてＬＴＥで規定されているＸ１  ＡＰを例示することができる。ＡＰは、Ｘ１  ＡＰに限られず、ＬＴＥ−Ａに従った新たなＡＰが規定されるようにすることもできる。要は、基地局１０と中継局２０との間の無線リンクの各種制御を行う最高位レイヤ（アプリケーション）であればどのようなプロトコルでもよい。
【００６１】
図５のプロシージャ（手順）では、最初に、中継局２０は、ＲＲＣレイヤにおいて、ＲＲＣ接続要求（RRC Connection Request）を基地局１０に送る（Ｓ１）。基地局１０は、ＲＣＣ接続セットアップ（RRC Connection Setup）を中継局２０に返す(Ｓ２)。そして、中継局２０は、ＲＲＣセットアップ完了（RRC Connection Setup Complete）を基地局１
０に返す（Ｓ３)。以上のステップＳ１〜Ｓ３の交信は、中継局２０をセットアップする
ためのプロシージャ（手順）である。
【００６２】
続いて、基地局１０は、ＡＰレイヤのメッセージであるAP message request（無線リソースの割り当て要求）を中継局２０に送信し（Ｓ４）、Uu RRC（Ｕｕインタフェースの無線リソース）の設定を行う。すなわち、基地局１０は、セットアップが完了した中継局２０がデータの初送について中長期的に使用すべき無線リソース割り当て（ＳＰＳリソース）を指定し、その無線リソースの情報を中継局２０に通知する。
【００６３】
例えば、基地局１０は、ＬＴＥで規定されている、RadioResourceConfigDedicatedというメッセージ（図６）を利用し、RadioResourceConfigDedicatedメッセージに含まれているsps-Config（図７）と呼ばれる制御情報を用いて、ＳＰＳに関する無線リソース設定を中継局２０に対して行うことができる。もっとも、無線リソース設定用にRadioResourceConfigDedicatedメッセージと異なるメッセージを適用することもできる。
中継局は、RadioResourceConfigDedicatedメッセージを受信すると、sps-Configの規定内容に従って、Ｕｎインタフェースの無線リソースのＳＰＳ設定を行い、設定が完了すると、応答メッセージ（AP Message Response）を返送する（Ｓ５）。
【００６４】
その後、中継局２０に移動局３０が接続してきた場合には、中継局２０は、RRC Connection Reconfigurationメッセージ（割り当て要求メッセージ）を用いて、基地局１０によって割り当てられた初送用の無線リソースを、移動局３０に対して割り当てる（Ｓ６）。RRC Connection Reconfigurationメッセージは、上述したsps-Configを含むRadioResourceConfigDedicatedメッセージを含んでおり、基地局１０で実施されたＳＰＳに基づく無線リソース割り当てが移動局３０に対して行われる。
【００６５】
移動局３０は、割り当て要求（Ｓ６）に従って、送信タイミング及び無線リソースの設定を行い、応答メッセージ（RRC Connection Reconfiguration Complete）を返信する（
Ｓ７）。
【００６６】
以上のようにして、中継局２０は、基地局１０で決定された初送用の無線リソースを移動局３０に割り当てることができる。
【００６７】
＜基地局装置の構成＞
次に、図１に示した基地局１０として機能する基地局装置１０Ａの構成例について説明する。図８は、基地局装置１０Ａの構成例を示す図である。図８において、基地局装置１０Ａは、送受信アンテナ１１と、送受信アンテナ１１に接続された送受信部１２と、送受信部１２に接続されたスケジューラ部１３（第１のスケジューラ）と、上位局とのインタフェース部１４と、送受信部１２，スケジューラ部１３及びインタフェース部１４と接続された制御部(controller)１５とを備えている。
【００６８】
制御部１５は、無線リソース管理部（ＳＰＳリソース管理部）１６（第１の管理部）と、スケジューラ制御部１７と、インタフェース管理部（アプリケーション部：ＡＰ）１８等の機能を備えている。制御部は、プロセッサにより実現でき、制御部は、プログラムに従って動作することで制御動作を実行することとしてもよい。
【００６９】
インタフェース部１４は、最上位のプロトコルレイヤを司り、データの送受信を行う。スケジューラ部１３は、受信したデータを一旦バッファ（スケジューラ部１３に備えられている）に蓄積し、制御部１５の指示に従ってデータのスケジューリングを実行する。送受信部１２は、データの無線送受信を行う。
【００７０】
制御部１５は、無線通信に関わる各種制御を実行する。スケジューラ制御部１７は、スケジューリングアルゴリズムを決定し、データ送信の順序を制御する。このため、スケジューラ制御部１７は、スケジューラ部１３を制御する、また、スケジューラ制御部１７は、データ誤り（復号失敗）が生じた場合に、データの再送を実行する。
【００７１】
インタフェース管理部（アプリケーション部）１８は、基地局装置１０Ａに実装される最上位のプロトコルレイヤであり、他局との制御情報のやりとりを管理する。管理はＡＰメッセージをやりとりすることによって実行される。
【００７２】
無線リソース管理部（ＳＰＳリソース管理部）１６は、無線リソースの管理制御を行う。すなわち、無線リソース管理部１６は、ＳＰＳに関わる無線リソースの管理制御を行う。
【００７３】
図９は、図５において説明した中継局のセットアップ時における基地局装置１０Ａの動作例を示すフローチャートである。中継局２０のセットアップが開始されると、最初に、基地局装置１０Ａの制御部１５は、中継局２０からのRRC Connection Requestを受信する（ステップＳ００１）。次に、制御部１５は、中継局２０へRRC Connection Setupを送信する（ステップＳ００２）。次に、制御部は、RRC Connection Setup Completeを受信す
る（ステップＳ００３）。次に、無線リソース管理部１６が、ＡＰメッセージでＳＰＳリソースを指定し、中継局２０へ通知する（ステップＳ００４）。その後、無線リソース管理部１６は、中継局２０からのＡＰメッセージ応答を受信し（ステップＳ００５）、処理を終了する。
【００７４】
図１０は、図３において説明した上りＳＰＳ通信時における基地局装置１０Ａの動作例（上りＳＰＳ通信処理）を示すフローチャートである。図１０において、処理が開始されると、送受信部は、アップリンクデータ（上り通信データ）を受信したか否かを判定する（ステップＳ１０１）。アップリンクデータを受信していない場合には、処理が終了する。これに対し、アップリンクデータが受信された場合には、スケジューラ制御部１７は、アップリンクデータの受信が失敗か否かを判定する（ステップＳ１０２）。このとき、アップリンクデータの受信失敗である場合には、無線リソース管理部１６は、再送用の無線リソースを設定し（ステップＳ１０３）、スケジューラ部１３は、ＮＡＣＫを返信する（ステップＳ１０５）。これに対し、アップリンクデータの受信が失敗でない（成功である）場合には、スケジューラ部１３は、ＡＣＫを返信する（ステップＳ１０４）。ステップＳ１０４，Ｓ１０５の終了後、上りＳＰＳ通信処理が終了する。
【００７５】
図１１は、図４において説明した下りＳＰＳ通信時における基地局装置１０Ａの動作例（下りＳＰＳ通信処理）を示すフローチャートである。図１１において、処理が開始されると、送受信部は、ダウンリンクデータ（下り通信データ）を送信したか否かを判定する（ステップＳ１１１）。ダウンリンクデータを受信していない場合には、処理が終了する。これに対し、ダウンリンクデータが送信された場合には、スケジューラ制御部１７は、
ダウンリンクデータの送信が失敗か否かを判定する（ステップＳ１１２）。このとき、ダウンリンクデータの送信失敗である場合には、無線リソース管理部１６は、再送用の無線リソースを設定し（ステップＳ１１３）、スケジューラ部１３は、ＮＡＣＫを受信する（ステップＳ１１５）。これに対し、ダウンリンクデータの受信が失敗でない（成功である）場合には、スケジューラ部１３は、ＡＣＫを受信する（ステップＳ１１４）。ステップＳ１１４，Ｓ１１５の終了後、下りＳＰＳ通信処理が終了する。
【００７６】
＜中継局装置の構成＞
次に、図１に示した中継局２０として機能する中継局装置２０Ａの構成例について説明する。図１２は、中継局装置２０Ａの構成例を示す図である。図１２において、中継局装置２０Ａは、ユーザ側（端末側）の送受信アンテナ２１Ａと、網側（基地局側）の送受信アンテナ２１Ｂと、送受信アンテナ２１Ａに接続された送受信部２２Ａと、送受信アンテナ２１Ｂに接続された送受信部２２Ｂとを備えている。また、中継局装置２０Ａは、送受信部２２Ａに接続されたスケジューラ部２３（第２のスケジューラ）と、インタフェース部２４と、送受信部２２Ａ，スケジューラ部２３及びインタフェース部２４と接続された制御部２５とを備えている。
【００７７】
制御部２５は、無線リソース管理部（ＳＰＳ初送管理部）２６Ａと、無線リソース管理部（ＳＰＳ再送管理部）２６Ｂ（第２の管理部）と、スケジューラ制御部２７と、インタフェース管理部（アプリケーション部：ＡＰ）２８とを備えている。
【００７８】
無線リソース管理部（ＳＰＳ初送管理部）２６Ａは、無線リソースの管理制御を行う。特にＳＰＳの場合、初送の無線リソースの管理制御を行う。無線リソース管理部（ＳＰＳ再送管理部）２６Ｂは、無線リソースの管理制御を行う。特にSPSの場合、再送の無線リ
ソースの管理制御を行う。無線リソース管理部２６Ａ，２６Ｂを除く各ブロックは、基地局装置１０Ａにおける同名のブロックとほぼ同様の機能を持つ。
【００７９】
図１３は、中継局２０のセットアップ時における中継局装置２０Ａの動作例（セットアップ処理）を示すフローチャートである。図１３において処理が開始されると、制御部２５は、RRC Connection Requestを基地局１０へ送信する（ステップＳ２０１）。
【００８０】
次に、制御部２５は、基地局１０からRRC Connection Setupを受信する（ステップＳ２０２）。次に、制御部は、基地局１０へRRC Connection Setup Completeを送信する（ス
テップＳ２０３）。次に、無線リソース管理部２６ＡはＡＰメッセージでＳＰＳリソースの指定を基地局１０から受信する（ステップＳ２０４）。
【００８１】
次に、無線リソース管理部２６Ａは、ＡＰメッセージ応答を基地局１０へ送信する（ステップＳ２０５）。次に、制御部１５は、RRC Connection Reconfigurationで初送のＳＰＳリソースを移動局３０に対して指定する（ステップＳ２０６）。その後、制御部１５は、Connection Reconfiguration Completeを移動局３０から受信し（ステップＳ２０７）
、中継局のセットアップ処理を終了する。
【００８２】
図１４は、中継局２０の上りＳＰＳ通信時における動作例（上り通信処理）を示すフローチャートである。図１４に示す処理が開始されると、送受信部２１Ａは、アップリンクデータを受信したか否かを判定する（ステップＳ２１１）。アップリンクデータを受信していない場合には、処理が終了する。
【００８３】
アップリンクデータが受信された場合には、スケジューラ制御部２７は、アップリンクデータの受信が失敗か否かを判定する（ステップＳ２１２）。このとき、アップリンクデータの受信が失敗である場合には、ＳＰＳ再送管理部２６Ｂは、データ再送用の無線リソ
ースを通知し（ステップＳ２１３）、スケジューラ部２３は、ＮＡＣＫを移動局３０に返信する（ステップＳ２１４）。その後、処理がステップＳ２１１に戻る。
【００８４】
これに対し、アップリンクデータの受信が失敗でない、すなわち成功である場合には、スケジューラ部２３は、移動局３０にＡＣＫを返信する（ステップＳ２１５）。
【００８５】
その後、送受信部２２Ｂは、アップリンクデータが送信されたか否かを判定する（ステップＳ２１６）。このとき、アップリンクデータが送信されていなければ、処理が終了する。これに対し、アップリンクデータが送信された場合には、スケジューラ制御部２７は、送信が失敗か否かを判定する（ステップＳ２１７）。
【００８６】
このとき、送信が失敗であれば、無線リソース管理部（ＳＰＳ再送管理部）２６Ｂは、再送用の無線リソースを移動局３０に対して設定し（ステップＳ２１８）、スケジューラ部２７は、ＮＡＣＫを返信する（ステップＳ２１９）。これに対し、送信が失敗でない、すなわち送信成功である場合には、スケジューラ部２７は、ＡＣＫを返信する。ステップＳ２１９，Ｓ２２０の終了後、上りＳＰＳ通信処理が終了する。
【００８７】
図１５は、中継局２０の下りＳＰＳ通信時における動作例（下り通信処理）を示すフローチャートである。図１５に示す処理が開始されると、送受信部２１Ｂは、ダウンリンクデータを受信したか否かを判定する（ステップＳ２２１）。ダウンリンクデータを受信していない場合には、処理が終了する。
【００８８】
ダウンリンクデータが受信された場合には、スケジューラ制御部２７は、ダウンリンクデータの受信が失敗か否かを判定する（ステップＳ２２２）。このとき、ダウンリンクデータの受信が失敗である場合には、無線リソース管理部（ＳＰＳ再送管理部）２６Ｂは、データ再送用の無線リソースを設定し（ステップＳ２１３）、スケジューラ部２３は、ＮＡＣＫを基地局１０に返信する（ステップＳ２２４）。その後、処理がステップＳ２２１に戻る。
【００８９】
これに対し、ダウンリンクデータの受信が失敗でない、すなわち成功である場合には、スケジューラ部２３は、基地局１０にＡＣＫを返信する（ステップＳ２２５）。
その後、送受信部２２Ａは、ダウンリンクデータが送信されたか否かを判定する（ステップＳ２２６）。このとき、ダウンリンクデータが送信されていなければ、処理が終了する。これに対し、ダウンリンクデータが送信された場合には、スケジューラ制御部２７は、送信が失敗か否かを判定する（ステップＳ２２７）。
【００９０】
このとき、送信が失敗であれば、無線リソース管理部（ＳＰＳ再送管理部）２６Ｂは、再送用の無線リソースを基地局１０に対して設定し（ステップＳ２２８）、スケジューラ部２７は、ＮＡＣＫを返信する（ステップＳ２２９）。これに対し、送信が失敗でない、すなわち送信成功である場合には、スケジューラ部２７は、ＡＣＫを基地局１０へ返信する。ステップＳ２２９，Ｓ２３０の終了後、下りＳＰＳ通信処理が終了する。
【００９１】
＜移動局装置の構成＞
次に、図１に示した移動局３０として機能する移動局装置３０Ａの構成例について説明する。図１６は、移動局装置３０Ａの構成例を示す図である。図１６において、移動局装置３０Ａは、送受信アンテナ３１と、送受信アンテナ３１に接続された送受信部３２と、送受信部３２と接続された制御部３３とを備えている。制御部３３は、無線リソース管理部（ＳＰＳリソース管理部）３４を備えている。
【００９２】
送受信部３２は、データの無線送受信を行う。制御部３３は、無線通信に関わる各種の
制御を実行する。図１６に示す実線矢印のように、中継局２０から直接的に制御される場合と、点線矢印のように基地局１０から間接的に制御される場合とがあるが、基地局１０と中継局２０とのいずれによって制御されているかを意識しない。
【００９３】
無線リソース管理部（ＳＰＳリソース管理部）３４は、無線リソースの管理制御を行う。特にＳＰＳで無線リソースのスケジューリングが行われる場合には、再送用の無線リソースの管理制御が行われる。
【００９４】
図１７は、中継局２０のセットアップ時における移動局装置３０Ａの動作例（セットアップ処理）を示すフローチャートである。図１７に示す処理が開始されると、制御部３３は、RRC Connection Reconfigurationで初送のＳＰＳリソースを受信する（ステップＳ３０１）。制御部３３は、RRC Connection Reconfigurationに従って、初送用のＳＰＳリソースを確保した状態になると、RRC Connection Reconfiguration Completeを送信し（ス
テップＳ３０２）、処理を終了する。
【００９５】
図１８は、移動局装置３０Ａの上りＳＰＳ通信時における動作例（上りＳＰＳ通信処理）を示すフローチャートである。図１８に示す処理が開始されると、送受信部３２は、アップリンクデータを送信したか否かを判定する（ステップＳ３１１）。アップリンクデータを送信していない場合には処理が終了する。
【００９６】
アップリンクデータが送信された場合には、制御部３３は、送信が失敗か否かを判定する（ステップＳ３１２）。送信が失敗である場合には、無線リソース管理部３４は、再送リソースの設定を行う（ステップＳ３１３）。その後、制御部３３が再送指示を発し、送受信部３２がアップリンクデータの再送を行う。これに対し、送信が失敗でない、すなわち送信が成功した場合には、制御部は、次のアップリンクデータの初送指示を行い（ステップＳ３１５）、送受信部３２が次のアップリンクデータの送信を行う。ステップＳ３１４、Ｓ３１５が終了すると、上りＳＰＳ通信処理が終了する。
【００９７】
図１９は、移動局装置３０Ａの下りＳＰＳ通信時における動作例（下りＳＰＳ通信処理）を示すフローチャートである。図１９に示す処理が開始されると、送受信部３２は、ダウンリンクデータを受信したか否かを判定する（ステップＳ３２１）。ダウンリンクデータが受信されていない場合には、処理が終了する。
【００９８】
ダウンリンクデータが受信された場合には、制御部３３は、ダウンリンクデータの受信が失敗か否かの判定を行う（ステップＳ３２２）。このとき、受信が失敗であれば、制御部３３は、ＮＡＣＫ送信を指示し（ステップＳ３２３）、送受信部３２がＮＡＣＫを送信する。その後、無線リソース管理部３４は、再送されるデータを受信するための無線リソースの設定を行う。
【００９９】
これに対し、受信が失敗でない、すなわち成功である場合には、制御部３３はＡＣＫ送信指示を行い（ステップＳ３２５）、送受信部３２はＡＣＫを送信する。ステップＳ３２４又はＳ３２５の処理が終了すると、下りＳＰＳ通信処理が終了する。
【０１００】
なお、上述した基地局装置１０Ａ，中継局装置２０Ａ，移動局装置３０Ａの各ブロックは、専用又は汎用のハードウェアを用いて実現することができる。或いは、各ブロックで実現される機能の一部又は全部は、ＣＰＵやＤＳＰのようなプロセッサがメモリのような記憶装置に格納されたプログラムを実行することによって実現されるようにしても良い。
【０１０１】
＜その他＞
（付記１）
基地局と、前記基地局と移動局との間で送受信されるデータを中継する中継局とを含む移動通信システムであって、
前記基地局は、
前記中継局を介して前記基地局と前記移動局との間で送受信されるデータの初送のスケジューリングを行う第１のスケジューラと、
前記データの初送に使用される無線リソースとして、周期的に使用される予め定められた無線リソースを管理する第１の管理部とを含み、
前記中継局は、
前記データの再送の要否を確認するためのメッセージの送信、及び前記データの再送のスケジューリングを行う第２のスケジューラと、
前記メッセージの送信及び前記データの再送に使用される無線リソースを管理する第２の管理部とを含む、
移動通信システム。
（付記２）
中継局を介して基地局とデータを送受信する移動局であって、
前記基地局で管理され、周期的に使用される予め定められた無線リソースを用いた前記データの初送のスケジューリングに従って初送される前記データを送受信する送受信部と、
前記中継局で管理される無線リソースを用いた、前記データの再送の要否を確認するためのメッセージの送信及び前記データの再送のスケジューリングに従って、前記メッセージ及び再送される前記データを送受信するための制御を行う制御部と
を含む移動局。
（付記３）
基地局と移動局との間で送受信されるデータを中継する中継局であって、
前記基地局で管理され、周期的に使用される予め定められた無線リソースを用いた前記データの初送のスケジューリングに従って初送される前記データを送受信する送受信部と、
自身が管理する無線リソースを用いた、前記データの再送の要否を判定するためのメッセージの送信及び前記データの再送のスケジューリングに従って、前記メッセージの送信及び前記データの再送を制御する制御部とを含み、
前記制御部は、前記基地局と前記移動局との一方から受信される前記メッセージの他方への中継を禁止する
中継局。
（付記４）
前記中継局は、前記移動局から受信される、再送された前記データの受信成功を示すメッセージを前記基地局へ中継することを禁止する
付記１に記載の移動通信システム。
（付記５）
前記基地局は、前記中継局へ初送した前記データに対する前記中継局での受信成功を示すメッセージを受信した場合には、前記データの再送が前記中継局と前記移動局の間で生じているか否かに拘わらず、前記移動局への前記データの送信が成功したとみなす
付記１に記載の移動通信システム。
（付記６）
前記周期的に使用される予め定められた無線リソースは、ＬＴＥ（Long Term Evolution）におけるSemi-persistent Schedulingに従って使用される無線リソースである
付記１に記載の移動通信システム。
（付記７）
基地局と、前記基地局と移動局との間で送受信されるデータを中継する中継局とを含む移動通信システムにおけるスケジューリング方法であって、
前記基地局が、前記基地局で管理され、周期的に使用される予め定められた無線リソー
スを用いた、前記データの初送のスケジューリングを行い、
前記中継局が、前記中継局で管理された無線リソースを用いた、前記データの再送の要否を確認するメッセージの送信及び前記データの再送のスケジューリングを行う
ことを含む移動通信システムのスケジューリング方法。
（付記８）
中継局を介して基地局とデータを送受信する移動局のデータ送受信方法であって、
前記基地局で管理され、周期的に使用される予め定められた無線リソースを用いた前記データの初送のスケジューリングに従って初送される前記データを送受信し、
前記中継局で管理される無線リソースを用いた、前記データの再送の要否を確認するためのメッセージの送信及び前記データの再送のスケジューリングに従って、前記メッセージ及び再送される前記データを送受信する
移動局のデータ送受信方法。
（付記９）
基地局と移動局との間で送受信されるデータを中継する中継局のデータ送受信方法であって、
前記基地局で管理され、周期的に使用される予め定められた無線リソースを用いた前記データの初送のスケジューリングに従って初送される前記データを送受信し、
自身が管理する無線リソースを用いた、前記データの再送の要否を判定するためのメッセージの送信及び前記データの再送のスケジューリングに従って、前記メッセージの送信及び前記データの再送を行い、
前記基地局と前記移動局との一方から受信される前記メッセージの他方への中継を禁止する
中継局のデータ送受信方法。
（付記１０）
前記中継局は、前記移動局から受信される、再送された前記データの受信成功を示すメッセージを前記基地局へ中継することを禁止する
付記７に記載の移動通信システムのスケジューリング方法。
（付記１１）
前記基地局は、前記中継局へ初送した前記データに対する前記中継局での受信成功を示すメッセージを受信した場合には、前記データの再送が前記中継局と前記移動局の間で生じているか否かに拘わらず、前記移動局への前記データの送信が成功したとみなす
付記７に記載の移動通信システムのスケジューリング方法。
（付記１２）
前記周期的に使用される予め定められた無線リソースは、ＬＴＥ（Long Term Evolution）におけるSemi-persistent Schedulingに従って使用される無線リソースである
付記７に記載の移動通信システムのスケジューリング方法。
【符号の説明】
【０１０２】
１０・・・ドナー基地局
１０Ａ・・・基地局装置
１１，２１Ａ，２１Ｂ，３１・・・送受信アンテナ
１２，２２Ａ，２２Ｂ，３２・・・送受信部
１３，２３・・・スケジューラ部
１４，２４・・・インタフェース部
１５，２５，３３・・・制御部
１６，２６Ａ，２６Ｂ，３４・・・無線リソース管理部
１７，２７・・・スケジューラ制御部
１８，２８・・・インタフェース制御部                                            
【図１】
0005429359.tif 000002
【図２】
0005429359.tif 000003
【図３】
0005429359.tif 000004
【図４】
0005429359.tif 000005
【図５】
0005429359.tif 000006
【図６】
0005429359.tif 000007
【図７】
0005429359.tif 000008
【図８】
0005429359.tif 000009
【図９】
0005429359.tif 000010
【図１０】
0005429359.tif 000011
【図１１】
0005429359.tif 000012
【図１２】
0005429359.tif 000013
【図１３】
0005429359.tif 000014
【図１４】
0005429359.tif 000015
【図１５】
0005429359.tif 000016
【図１６】
0005429359.tif 000017
【図１７】
0005429359.tif 000018
【図１８】
0005429359.tif 000019
【図１９】
0005429359.tif 000020
【図２０】
0005429359.tif 000021
【図２１】
0005429359.tif 000022